(57)【要約】  液体製品をパッケージから分注するためのディップチューブを備えたポンプディスペンサーを開示し、ディップチューブがチューブ部分とチューブ部分の下端にある先端部分とを有し、ディップチューブが先端部分で広がるような形状を有する。本発明のポンプディスペンサーが改善された液体製品の分注機能を提供する。
2012532809.tif 000002
【特許請求の範囲】
【請求項１】
液体製品をパッケージから分注するためのディップチューブを有するポンプディスペンサーであって、前記ディップチューブがチューブ部分と前記チューブ部分の下端にある先端部分とを有し、前記ディップチューブが前記先端部分で広がるような形状を有する、ポンプディスペンサー。
【請求項２】
前記チューブ部分は、前記先端部分が形成される前記チューブ部分の下端に向かって実質的に同じ内径を有し、前記先端部分の下端の内径が前記チューブ部分の内径より大きい、請求項１に記載のポンプディスペンサー。
【請求項３】
前記先端部分が、前記先端部分の下端に向かって広がるか、又は前記先端部分の下端に向かって実質的に同じ内径を有するかのいずれかである、請求項２に記載のポンプディスペンサー。
【請求項４】
前記先端部分が、前記先端部分の下端に向かって広がる、請求項３に記載のポンプディスペンサー。
【請求項５】
前記先端部分の下端の内径と前記チューブ部分の内径との比が約１．２：１〜約５：１である、請求項２に記載のポンプディスペンサー。
【請求項６】
前記先端部分の下端の内径と前記チューブ部分の内径との比が約１．５：１〜約３：１である、請求項２に記載のポンプディスペンサー。
【請求項７】
前記先端部分の下端の内径と前記チューブ部分の内径との比が約１．７：１〜約２．５：１である、請求項２に記載のポンプディスペンサー。
【請求項８】
前記チューブ部分は前記先端部分が形成される下端に向かって徐々に広がる、請求項１に記載のポンプディスペンサー。
【請求項９】
前記先端部分が少なくとも１つの切り込みを有する、請求項１に記載のポンプディスペンサー。
【請求項１０】
前記先端部分が２つの切り込みを有する、請求項１に記載のポンプディスペンサー。
【請求項１１】
前記切り込みが三角形状及び／又は半円状の形状を有する、請求項９又は１０に記載のポンプディスペンサー。
【請求項１２】
前記切り込みが、前記パッケージの長手側の周縁の方向に実質的に向いている、請求項９又は１０に記載のポンプディスペンサー。
【請求項１３】
前記液体製品が約２，０００ｍＰａ・ｓ〜約２００，０００ｍＰａ・ｓの粘度を有する、請求項１に記載のポンプディスペンサー。
【請求項１４】
前記液体製品が約５，０００ｍＰａ・ｓ〜約１００，０００ｍＰａ・ｓの粘度を有する、請求項１に記載のポンプディスペンサー。
【発明の詳細な説明】
【技術分野】
【０００１】
本発明は、より広い先端を有するディップチューブを備えたポンプディスペンサーに関する。本発明のポンプディスペンサーは、改善された内容物の分注機能（dispensability）を提供する。
【背景技術】
【０００２】
パッケージ内に収容された液体内容物を排出するためのポンプディスペンサーを備えた種々のパッケージが存在する。ポンプディスペンサーは、通常、例えば、ねじ式キャップ又ははめ込み式キャップによって、密閉するようにパッケージの口に取り付けられる。ポンプヘッドを押すたびに、一定量の内容物が吸い上げられる。液体製品は、例えば、ヘアシャンプー、ヘアコンディショナー、ハンドソープ、ボディーシャンプー、及び美容ローションである。
【０００３】
しかしながら、エアレーション（aeration）時点での液体製品の残留量を減らすという要望が存在する。本明細書におけるエアレーションとは、「スパッタリング」と呼ばれることがあるが、パッケージ内の空気が液体製品と同時に吐出される、及び／又はまったく液体製品を伴わずに吐出される現象を意味する。消費者は、一般に、大部分の内容物が既に使用のために吐出されたパッケージの使用サイクルの終わりにかけて、このようなエアレーション現象が生じ得ると予想する。しかしながら、特に液体製品が比較的高粘度を有する場合、パッケージ形状が円筒形でない（すなわち、その水平断面図がその最上部から底部まで常に円形でない）場合、及び／又は室温が比較的低い場合に、比較的大量の内容物がパッケージ内に残っている場合にエアレーションが生じることが発見されている。このようなエアレーション時点での比較的大量の残留量は、消費者に、例えば、パッケージの機能性が不便である及び／又は劣っていると認識され得る。
【発明の概要】
【発明が解決しようとする課題】
【０００４】
したがって、特に液体製品が比較的高粘度を有する場合に、エアレーション時点での液体製品の残留量を減らすという要望が依然として存在する。
【０００５】
既存の技術では、本発明の利点及び利益の全てを提供するものは存在しない。
【課題を解決するための手段】
【０００６】
本発明は、液体製品をパッケージから分注するためのディップチューブを備えたポンプディスペンサーに関し、そのディップチューブは、チューブ部分と、チューブ部分の下端にある先端部分と、を有し、ディップチューブは、先端部分で広がるような形状を有する。本発明は、改善された液体製品の分注機能を提供する。
【０００７】
本発明の前述及びその他の特徴、態様及び利点は、以下の説明及び添付の特許請求の範囲を読むことで、よりよく理解される。
【図面の簡単な説明】
【０００８】
本明細書は、本発明を特定して指摘し明確に請求する請求項をもって結論とするが、本発明は、添付図面の以降の説明からより良く理解されると考えられる。
【図１】本発明のポンプディスペンサーの第１の実施形態の斜視図。
【図２】第１の実施形態の正面図。
【図３】第１の実施形態の背面図。
【図４】第１の実施形態の側面図。
【図５】第１の実施形態の側面図を示し、更に先端部分の切り込みの幅Ｗを示す。
【図６】１つの例示されたパッケージにおける第１の実施形態の使用法を示す。
【図７】図６に示されたパッケージの斜視図。
【図８】図６に示されたパッケージの正面図。
【図９】図６に示されたパッケージの背面図。
【図１０】図６に示されたパッケージの上面図。
【図１１】図６に示されたパッケージの底面図。
【図１２】図８のＸ−Ｘに沿って切断したパッケージの断面図。
【図１３】本発明のポンプディスペンサーの第２の実施形態の斜視図。
【図１４】第２の実施形態の側面図。
【図１５】本発明のポンプディスペンサーの第３の実施形態の側面図。
【図１６】本発明のポンプディスペンサーの第４の実施形態の側面図。
【図１７】市販のポンプディスペンサーの斜視図。
【図１８】市販のポンプディスペンサーの正面図。
【図１９】市販のポンプディスペンサーの背面図。
【図２０】市販のポンプディスペンサーの側面図。
【発明を実施するための形態】
【０００９】
本明細書は、本発明を詳細に示し、明確に請求することによって結論付けられるが、本発明は次の記述によって更によく理解されるものと考えられる。
【００１０】
特に規定のない限り、百分率、部数、及び比率は全て、本発明のヘアケア組成物の総重量に基づいており、測定は全て２５℃で行われる。列挙する成分に関連するこのような全ての重量は、活性レベルに基づくもので、特に指定しない限り、市販の物質に包含される場合があるキャリア又は副生成物を包含しない。
【００１１】
本明細書において、「含む」とは、最終結果に影響しない他の工程及び他の成分も加え得ることを意味する。この用語は、「から成る」及び「から本質的に成る」という用語を包含する。
【００１２】
本明細書において、「混合物」は、複数材料の単純な組み合わせと、結果としてそのような組み合わせから生じることがある、あらゆる化合物とを包含するように意図されている。
【００１３】
全ての測定は、２５℃及び周囲条件で行われると理解され、ここで「周囲条件」とは約１気圧の圧力及び相対湿度約５０％での条件を意味する。
【００１４】
ポンプディスペンサー
液体製品をパッケージから分注するために使用される本発明のポンプディスペンサーはディップチューブ２を備え、ディップチューブ２はチューブ部分２１とチューブ部分２１の下端にある先端部分２２とを有し、ディップチューブ２は先端部分２２で広がるような形状を有する。本発明のポンプディスペンサーは、通常ポンプ機能部分１を更に含む。ディップチューブ２及びポンプ機能部分１は、ポンプディスペンサーを形成するよう組み立てられる別個の部品であってもよい。あるいは、ディップチューブ２及びポンプ機能部分１は１つの部品であってもよい。
【００１５】
ディップチューブ
本発明のディップチューブ２では、チューブ部分２１は先端部分２２が形成されるその下端に向かって実質的に同じ内径を有してもよく、先端部分２２の下端の内径はチューブ部分２１の内径より大きい。このような場合、先端部分２２は、例えば、図１〜６、１３及び１４に示されるように、その下端に向かって広がるか、又は例えば図１５に示されるように、その下端に向かって実質的に同じ内径を有するかのいずれかである。
【００１６】
あるいは、本発明のディップチューブ２では、チューブ部分２１は、例えば図１６に示されるように、先端部分２２が形成される下端に向かって徐々に広がっていてもよい。
【００１７】
本発明では、チューブ部分２１は、分注機能とチューブ部分内の製品残留量の減少とのバランスを考慮して、図１〜６、１３〜１５に例示されるように、先端部分２２が形成されるその下端に向かって実質的に同じ内径を有することが好ましい。本発明ではまた、先端部分２２は、分注機能と先端部分内の製品残留量の減少とのバランスを考慮して、図１〜６、１３及び１４に例示されるように、その下端に向かって広がることが好ましい。
【００１８】
チューブ部分
チューブ部分２１がその下端に向かって実質的に同じ内径を有する好ましい実施形態では、チューブ部分２１の内径は、分注機能とチューブ部分内の製品残留量の減少とのバランスを考慮して（in view of in view of）、好ましくは約３ｍｍ〜約３０ｍｍ、より好ましくは約５ｍｍ〜約２０ｍｍ、更に好ましくは約７ｍｍ〜約１５ｍｍである。チューブ部分の直径が大きすぎると、（ｉ）特にディップチューブをパッケージ内に挿入する際に製造上の困難を生じる、及び／又は（ｉｉ）チューブ部分内の潜在的残留量が増加させることがある。一方、直径が小さすぎると、分注機能における改善（すなわち、パッケージ内の製品残留量の減少）が少なくなる可能性がある。
【００１９】
あるいは、例えば、図１６に示されるように、先端部分２２が形成される下端に向かってチューブ部分２１が徐々に広がる実施形態では、チューブ部分２１の内径は、その最狭部分で、好ましくは約３ｍｍ〜約３０ｍｍ、より好ましくは約５ｍｍ〜約２０ｍｍ、更に好ましくは約７ｍｍ〜約１５ｍｍである。
【００２０】
先端部分
チューブ部分２１がその下端に向かって実質的に同じ内径を有する好ましい実施形態では、先端部分２２は、分注機能と先端部分内の製品残留量の減少とのバランスを考慮して、先端部分２２の長さとチューブ部分２１の内径との比が、好ましくは約０．３：１〜約３：１、より好ましくは約０．５：１〜約２：１、更により好ましくは約０．７：１〜約１．５：１であるような長さを有してもよい。先端部分の長さが長すぎると、先端部分内の潜在的残留量を増加させる可能性がある。一方では、先端部分の長さが短すぎると、分注機能における改善（すなわち、パッケージ内の製品残留量の減少）が少なくなる可能性がある。
【００２１】
チューブ部分２１がその下端に向かって実質的に同じ内径を有する好ましい実施形態では、先端部分２２の下端は、先端部分２２の下端の内径とチューブ部分２１の内径との比が、好ましくは約１．２：１〜約５：１、より好ましくは約１．５：１〜約３：１、更により好ましくは約１．７：１〜約２．５：１であるような内径を有してもよい。このような実施形態では、先端部分２２の下端の内径は、好ましくは約５ｍｍ〜約４０ｍｍ、より好ましくは約７ｍｍ〜約３０ｍｍ、更により好ましくは約１０ｍｍ〜約２５ｍｍ、更により好ましくは約１０ｍｍ〜約２２ｍｍである。先端部分の下端の直径が大きすぎると、（ｉ）特にディップチューブをパッケージ内に挿入する際に製造上の困難を生じる、及び／又は（ｉｉ）先端部分内の潜在的残留量を増加させる可能性がある。一方では、直径が小さすぎると、分注機能における改善（すなわち、パッケージ内の製品残留量の減少）が少なくなる可能性がある。
【００２２】
あるいは、例えば、図１６に示されるように、先端部分２２が形成される下端に向かってチューブ部分２１が徐々に広がる実施形態では、先端部分２２の下端は、先端部分２２の下端の内径とチューブ部分２１の最狭部分の内径との比が好ましくは約１．２：１〜約５：１、より好ましくは約１．５：１〜約３：１、更により好ましくは約１．７：１〜約２．５：１であるような内径を有してもよい。この実施形態では、先端部分２２の下端の内径は、好ましくは約５ｍｍ〜約４０ｍｍ、より好ましくは約７ｍｍ〜約３０ｍｍ、更により好ましくは約１０ｍｍ〜約２５ｍｍ、更により好ましくは約１０ｍｍ〜約２２ｍｍである。
【００２３】
切り込み
本発明では、先端部分２２は、分注機能（すなわち、パッケージ内の製品残留量の減少）を考慮して、好ましくは少なくとも１つの切り込み２２１、より好ましくは２つの切り込みを有する。切り込みの数及び方向は、パッケージ形状と共により詳細に後述される。
【００２４】
切り込み２２１は、例えば、図１〜６に示されるような三角形状及び／又は半円状の形状、方形状の形状、スリット状の形状などの種々の形状を有することができる。好ましくは、切り込みは、分注機能（すなわち、パッケージ内の製品残留量の減少）を考慮して、三角形状を有する。
【００２５】
チューブ部分２１がその下端に向かって実質的に同じ内径を有する好ましい実施形態では、各切り込み２２１の高さは、分注機能（すなわち、パッケージ内の製品残留量の減少）を考慮して、先端部分２２の高さの好ましくは約５％〜約１５０％、より好ましくは約１０％〜約１００％、更により好ましくは約１５％〜約８０％、更により好ましくは約１５％〜約６０％、更により好ましくは約１５％〜約４０％である。
【００２６】
あるいは、例えば、図１６に示されるように、先端部分２２が形成される下端に向かってチューブ部分２１が徐々に広がる実施形態では、各切り込みの高さを適切に決めることができる。
【００２７】
任意の実施形態では、各切り込みの下端の幅（図５に「Ｗ」として示される）は、分注機能（すなわち、パッケージ内の製品残留量の減少）を考慮して、先端部分２２の下端の幅の好ましくは約１０％〜約５０％、より好ましくは約２０％〜約４０％、更に好ましくは約２５％〜約３５％である。「切り込みの下端の幅」とは、図５に「Ｗ」として示されるように、切り込みをその側面から見たときに、切り込みを形成する前の先端部分の下端のカット前の端と、切り込みを形成した後の切り込みの下端との間の距離を意味する。
【００２８】
パッケージ
本発明のポンプディスペンサーは、例えば、水平断面図が円形、楕円形、三角形、及び菱形である収納容器などの種々のパッケージに好適である。
【００２９】
パッケージ形状及び好ましい切り込み特徴部
特にパッケージ形状が円筒形でない（すなわち、その水平断面図がその最上部から底部まで常に円形でない）場合に、切り込みを有することが好ましいことが本発明者により発見されている。更に、本発明では、パッケージの所定数の長手側の周辺に対応する所定数の切り込みを有することが好ましい。切り込みが、パッケージの長手側の周辺の方向に実質的に向いていることも好ましい。例えば、楕円形及び菱形では２つの切り込みを有することが好ましく、これら２つの切り込みは、楕円形及び菱形の２つの長手側の周辺の方向に実質的に向いている。
【００３０】
例えば、図６では、先端部分２２は、パッケージ３内に２つの切り込み２２１を有し、パッケージ３は、最上部では菱形、底部では円形の形状を有し、２つの切り込み２２１は、菱形の２つの長手側の周辺の方向実質的に向いている。
【００３１】
すきまの高さ
パッケージにおいて、ポンプディスペンサーがパッケージにしっかり連結されている場合、先端部分の下端（ディップチューブの下端に相当する）は、図６に示されるように、パッケージの内側底面よりわずかに高い位置に配置される。ディップチューブの下端は、分注機能（すなわち、パッケージ内の製品残留量の減少）を考慮して、パッケージの内側底面より好ましくは約１ｍｍ〜約２０ｍｍ、より好ましくは約２ｍｍ〜約１５ｍｍ、更により好ましくは約５ｍｍ〜約１２ｍｍ、更により好ましくは約７ｍｍ〜約１１ｍｍ高い位置に配置される。
【００３２】
液体製品
本発明のポンプディスペンサーは、例えば、毛髪、身体、手、顔、及び／又は硬質表面、例えば、食器及び／又は床などの任意の基材用のシャンプー及び／又はクレンジング；毛髪、身体、手、及び／又は顔用のコンディショナー、トリートメント、保湿剤、クリーム；並びにヘアスタイリングなどの任意の液体製品に好適である。
【００３３】
本発明のポンプディスペンサーは、Ｂｒｏｏｋｆｉｅｌｄ粘度計により剪断速度１．０ｒｐｍにて２５℃で測定するとき、好ましくは約２，０００ｍＰａ・ｓ〜約２００，０００ｍＰａ・ｓ、より好ましくは約５，０００ｍＰａ・ｓ〜約１００，０００ｍＰａ・ｓ、更に好ましくは約１０，０００ｍＰａ・ｓ〜約５０，０００ｍＰａ・ｓ、更により好ましくは約１０，０００ｍＰａ・ｓ〜約４０，０００ｍＰａ・ｓの粘度を有する液体製品に特に好適である。
【実施例】
【００３４】
以下の実施例は、本発明の範囲内にある実施形態を更に説明し、かつ実証する。これら実施例は、例示目的のためにのみ提供され、しかも、本発明の趣旨及び範囲から逸脱することなく、それらの多くの変更が可能であることから、本発明を限定するものとして解釈されるべきではない。成分は、適用できる場合は、化学名又はＣＴＦＡ名称で識別され、そうでない場合には以下で定義される。
【００３５】
本明細書において参照される全ての測定は室温で実施する。
【００３６】
製品分注機能
本発明のポンプディスペンサーに関して、以下のパッケージ、製品、及び方法により製品分注機能を評価する。ポンプディスペンサーの詳細を以下の表１に示す。評価の結果を以下の表１に示す。
【００３７】
パッケージ及び製品
評価に使用したパッケージは、図７〜１２に示されるような形状を有する。底部から（パッケージが最広部分を有する）最上部までの高さは約１８ｃｍであり、最上部の長い方の幅は８．５ｃｍ、最上部の短い方の幅は７ｃｍ、底部の直径は約６ｃｍである。評価に使用した液体製品は、粘度が３０，０００ｍＰａ・ｓのヘアコンディショナーである。
【００３８】
方法
（ｉ）空のディップチューブを備えた空のポンプディスペンサーを、上記の製品５００ｇを充填した上記のパッケージに入れる。
（ｉｉ）最初のエアレーションが観察されるまで、製品をパッケージから分注する。
（ｉｉｉ）ポンプディスペンサー、ディップチューブ、及びパッケージ内の製品残留量を全て含めたパッケージの重量を測定する。
（ｉｖ）（ｉｉｉ）の重量から空のパッケージ、空のポンプディスペンサー、及び空のディップチューブの総重量を引いて、製品残留量の重量を計算する。
（ｖ）各実施例について上記の（ｉ）〜（ｉｖ）を５回繰り返し、その平均値を計算する。
【００３９】
【表１】
2012532809.tif 000003
【００４０】
Ｃ：対照
１：対照と比較して製品残留量の減少が１０％未満（１０％を含まない）
２：対照と比較して製品残留量の減少が１０％〜２０％未満（２０％を含まない）
３：対照と比較して製品残留量の減少が２０％〜３０％未満（３０％を含まない）
４：対照と比較して製品残留量の減少が３０％〜４０％未満（４０％を含まない）
５：対照と比較して製品残留量の減少が４０％〜５０％未満（５０％を含まない）
【００４１】
前記の「実施例１」〜「実施例４」として開示及び表記した実施形態は、本発明のポンプディスペンサーである。このような実施形態は、例えば、エアレーション時点での液体製品の残留量を減らすという利点を有する。
【００４２】
本明細書に開示されている寸法及び値は、列挙した正確な数値に厳しく制限されるものとして理解すべきではない。それよりむしろ、特に規定がない限り、こうした各寸法は、列挙された値とその値周辺の機能的に同等の範囲との両方を意味することが意図される。例えば、「４０ｍｍ」として開示される寸法は、「約４０ｍｍ」を意味することを意図している。
【００４３】
相互参照される又は関連するあらゆる特許又は出願書類を含め、本明細書において引用される全ての文献は、明示的に除外ないしは制限されない限り、その全体を参考として本明細書に組み込まれる。いかなる文献の引用も、それが本明細書において開示され請求されるいずれかの発明に関する先行技術であること、又はそれが単独で若しくは他のいかなる参照とのいかなる組み合わせにおいても、このようないかなる発明を教示する、提案する、又は開示することを認めるものではない。更に、本書における用語のいずれかの意味又は定義が、参考として組み込まれた文献における同一の用語のいずれかの意味又は定義と相反する限りにおいて、本書においてその用語に与えられた定義又は意味が適用されるものとする。
【００４４】
本発明の特定の実施形態が例示され、記載されてきたが、本発明の趣旨及び範囲から逸脱することなく、他の様々な変更及び修正を実施できることが、当業者には明白であろう。したがって、本発明の範囲内にあるそのような全ての変更及び修正を、添付の「特許請求の範囲」で扱うものとする。
【図１】
2012532809.tif 000004
【図２】
2012532809.tif 000005
【図３】
2012532809.tif 000006
【図４】
2012532809.tif 000007
【図５】
2012532809.tif 000008
【図６】
2012532809.tif 000009
【図７】
2012532809.tif 000010
【図８】
2012532809.tif 000011
【図９】
2012532809.tif 000012
【図１０】
2012532809.tif 000013
【図１１】
2012532809.tif 000014
【図１２】
2012532809.tif 000015
【図１３】
2012532809.tif 000016
【図１４】
2012532809.tif 000017
【図１５】
2012532809.tif 000018
【図１６】
2012532809.tif 000019
【図１７】
2012532809.tif 000020
【図１８】
2012532809.tif 000021
【図１９】
2012532809.tif 000022
【図２０】
2012532809.tif 000023
【国際調査報告】
2012532809.tif 000024
2012532809.tif 000025
2012532809.tif 000026
2012532809.tif 000027